(57)【要約】    【課題】      充電中も長い時間において携帯電話機を使用することができ、かつ、携帯電話機の小型化に適している携帯電話機及び携帯電話システムを提供すること。    【解決手段】  携帯電話機上部１０１は、通信通話装置１０３を充電するための補助充電池１０５と、携帯電話機下部１０２との着脱を判定する着脱判定部１０６と、携帯電話機下部１０２が脱却された時に補助充電池１０５からの直流電力を通信通話装置１０３に供給する補助電力供給手段と、を有する。携帯電話機下部１０２は、携帯電話機上部１０１に装着された時に通信通話装置１０３及び補助充電池１０５に直流電力を供給する主充電池１１２と、外部からの電力を受けて主充電池１１２及び第２の無線送受信ユニット１１３に直流電力を供給する充電手段と、を有する。第２の無線送受信ユニット１１３は、第１の無線送受信ユニット１０４と基地局との間の通信信号を中継する。  【選択図】      図１
2005218040.tif 000002
【特許請求の範囲】
【請求項１】
無線信号を送受信する第１の無線送受信ユニットを含む通信通話装置を有する携帯電話機上部と、前記携帯電話機上部に着脱可能に装着され無線信号を送受信する第２の無線送受信ユニットを有する携帯電話機下部と、を具備し、
前記携帯電話機上部は、前記通信通話装置を充電するための補助充電池と、前記携帯電話機下部との着脱を判定する着脱判定部と、前記携帯電話機上部が前記携帯電話機下部から脱却されたことを前記着脱判定部が判定した時に前記補助充電池からの直流電力を前記通信通話装置に供給する補助電力供給手段と、を有し、
前記携帯電話機下部は、前記携帯電話機上部に装着された時に前記通信通話装置及び前記補助充電池に直流電力を供給する主充電池と、外部からの電力を受けて前記主充電池及び前記第２の無線送受信ユニットに直流電力を供給する充電手段と、を有し、
第２の無線送受信ユニットは、前記第１の無線送受信ユニットと基地局との間の通信信号を中継する携帯電話機。
【請求項２】
前記充電手段は、外部からの電力を受けて前記主充電池及び前記第２の無線送受信ユニットに直流電力を供給する電力供給部を有する請求項１に記載の携帯電話機。
【請求項３】
前記充電手段は、外部電源からの交流電力を受けて前記交流電力を直流電力に変換する電力変換部と、前記電力変換部からの前記直流電力を受けて前記主充電池及び前記第２の無線送受信ユニットに前記直流電力を供給する電力供給部と、を有する請求項１に記載の携帯電話機。
【請求項４】
携帯電話機と充電ステーション装置とを具備する携帯電話システムにおいて、前記携帯電話機は、無線信号を送受信する第１の無線送受信ユニットを含む通信通話装置を有する携帯電話機上部と、前記携帯電話機上部に装着される携帯電話機下部と、を具備し、
前記携帯電話機上部は、前記通信通話装置を充電するための補助充電池と、前記携帯電話機下部との着脱を判定する着脱判定部と、前記携帯電話機上部が前記携帯電話機下部から脱却されたことを前記着脱判定部が判定した時に前記補助充電池からの直流電力を前記通信通話装置に供給する補助電力供給手段と、を有し、
前記携帯電話機下部は、当該携帯電話機下部に着脱可能に装着され、前記携帯電話機下部が前記携帯電話機上部に装着された時に前記通信通話装置及び前記補助充電池に直流電力を供給する主充電池を有し、
前記充電ステーション装置は、無線信号を送受信する第２の無線送受信ユニットと、外部電源からの交流電力を受けて前記交流電力を直流電力に変換する電力変換部と、前記電力変換部からの前記直流電力を受けて前記充電ステーション装置に装着された前記主充電池及び前記第２の無線送受信ユニットに前記直流電力を供給する電力供給部と、を有し、
第２の無線送受信ユニットは、前記第１の無線送受信ユニットと基地局との間の通信信号を中継する携帯電話システム。
【発明の詳細な説明】
【技術分野】
【０００１】
本発明は、携帯電話機及び携帯電話システムに関する。
【背景技術】
【０００２】
従来の携帯電話機として、特許文献１に記載されたものがある。特許文献１に記載された携帯電話機は、電話機本体の本体ケース内部に充電式の内部バッテリ（補助充電池）を設け、本体に設けられたロックスイッチによって交換式のバッテリパックの交換中に内部バッテリに電源の切替えを行い、内部バッテリには少なくともバッテリの交換中の通話を保証するだけの電力を蓄積するようにしたものである。
【特許文献１】特開平７−１０７０２７号公報
【発明の開示】
【発明が解決しようとする課題】
【０００３】
しかしながら、従来の携帯電話機においては、補助充電池の容量が小さい場合には携帯電話機を短時間しか使用することができず、また、充電中もより長い時間において携帯電話機を使用するには容量が大きい補助充電池が必要となるため補助充電池が大きくなるから携帯電話機が大型になってしまうという問題がある。また、従来の携帯電話機においては、補助充電池の容量が小さい場合には受信能力が小さいため電波を受信できない電波不感地域が大きくなるという問題がある。
【０００４】
本発明は、かかる点に鑑みてなされたものであり、充電中も長い時間において携帯電話機を使用することができ、携帯電話機の小型化に適し、かつ、電波不感地域を小さくすることができる携帯電話機及び携帯電話システムを提供することを目的とする。
【課題を解決するための手段】
【０００５】
請求項１に記載の携帯電話機は、無線信号を送受信する第１の無線送受信ユニットを含む通信通話装置を有する携帯電話機上部と、前記携帯電話機上部に着脱可能に装着され無線信号を送受信する第２の無線送受信ユニットを有する携帯電話機下部と、を具備し、前記携帯電話機上部は、前記通信通話装置を充電するための補助充電池と、前記携帯電話機下部との着脱を判定する着脱判定部と、前記携帯電話機上部が前記携帯電話機下部から脱却されたことを前記着脱判定部が判定した時に前記補助充電池からの直流電力を前記通信通話装置に供給する補助電力供給手段と、を有し、前記携帯電話機下部は、前記携帯電話機上部に装着された時に前記通信通話装置及び前記補助充電池に直流電力を供給する主充電池と、外部からの電力を受けて前記主充電池及び前記第２の無線送受信ユニットに直流電力を供給する充電手段と、を有し、第２の無線送受信ユニットは、前記第１の無線送受信ユニットと基地局との間の通信信号を中継する構成を採る。
【０００６】
この構成によれば、主充電池の充電中に第２の無線送受信ユニットが第１の無線送受信ユニットと基地局との間の通信信号を中継するため、補助充電池が通信通話装置に供給する直流電力は小さくてよいから、充電中も長い時間において携帯電話機を使用することができ、携帯電話機の小型化に適し、かつ、電波不感地域を小さくすることができる。
【０００７】
請求項２に記載の携帯電話機は、請求項１に記載の発明において、前記充電手段が、外部からの電力を受けて前記主充電池及び前記第２の無線送受信ユニットに直流電力を供給する電力供給部を有する構成を採る。
【０００８】
この構成によれば、請求項１に記載の発明と同様に、充電中も長い時間において携帯電話機を使用することができ、かつ、携帯電話機の小型化に適している。
【０００９】
請求項３に記載の携帯電話機は、請求項１に記載の発明において、前記充電手段が、外部電源からの交流電力を受けて前記交流電力を直流電力に変換する電力変換部と、前記電力変換部からの前記直流電力を受けて前記主充電池及び前記第２の無線送受信ユニットに前記直流電力を供給する電力供給部と、を有する構成を採る。
【００１０】
この構成によれば、請求項１に記載の発明と同様に、充電中も長い時間において携帯電話機を使用することができ、携帯電話機の小型化に適し、かつ、電波不感地域を小さくすることができる。
【００１１】
請求項４に記載の携帯電話システムは、携帯電話機と充電ステーション装置とを具備する携帯電話システムにおいて、前記携帯電話機は、無線信号を送受信する第１の無線送受信ユニットを含む通信通話装置を有する携帯電話機上部と、前記携帯電話機上部に装着される携帯電話機下部と、を具備し、前記携帯電話機上部は、前記通信通話装置を充電するための補助充電池と、前記携帯電話機下部との着脱を判定する着脱判定部と、前記携帯電話機上部が前記携帯電話機下部から脱却されたことを前記着脱判定部が判定した時に前記補助充電池からの直流電力を前記通信通話装置に供給する補助電力供給手段と、を有し、前記携帯電話機下部は、当該携帯電話機下部に着脱可能に装着され、前記携帯電話機下部が前記携帯電話機上部に装着された時に前記通信通話装置及び前記補助充電池に直流電力を供給する主充電池を有し、前記充電ステーション装置は、無線信号を送受信する第２の無線送受信ユニットと、外部電源からの交流電力を受けて前記交流電力を直流電力に変換する電力変換部と、前記電力変換部からの前記直流電力を受けて前記充電ステーション装置に装着された前記主充電池及び前記第２の無線送受信ユニットに前記直流電力を供給する電力供給部と、を有し、第２の無線送受信ユニットは、前記第１の無線送受信ユニットと基地局との間の通信信号を中継する構成を採る。
【００１２】
この構成によれば、主充電池の充電中に第２の無線送受信ユニットが第１の無線送受信ユニットと基地局との間の通信信号を中継するため、補助充電池が通信通話装置に供給する直流電力は小さくてよいから、充電中も長い時間において携帯電話機を使用することができ、携帯電話機の小型化に適し、かつ、電波不感地域を小さくすることができる。
【発明の効果】
【００１３】
以上説明したように、本発明によれば、充電中も長い時間において携帯電話機を使用することができ、かつ、携帯電話機の小型化に適している。
【発明を実施するための最良の形態】
【００１４】
本発明の骨子は、携帯電話機上部が、第１の無線送受信ユニットを含む通信通話装置と、前記通信通話装置を充電するための補助充電池と、を有し、携帯電話機上部が携帯電話機下部から脱却された時に前記補助充電池からの直流電力を前記第１の無線送受信ユニットに供給し、前記携帯電話機下部が、前記携帯電話機上部に装着された時に前記第１の無線送受信ユニット及び前記補助充電池に直流電力を供給する主充電池と、外部からの電力を受けて前記主充電池及び前記第２の無線送受信ユニットに直流電力を供給する充電手段と、を有することである。
【００１５】
以下、本発明の実施の形態について、図面を参照して詳細に説明する。
【００１６】
（実施の形態１）
図１は、本発明の実施の形態１に係る携帯電話機１００の一の状態を示す図である。図１は、携帯電話機下部１０２が携帯電話機上部１０１に装着されている状態を示している。図２は、本発明の実施の形態１に係る携帯電話機１００の他の状態を示す図である。図２は、携帯電話機下部１０２が携帯電話機上部１０１から脱却されて充電ステーション装置２００に装着されている状態を示している。
【００１７】
図１に示すように、本発明の実施の形態１に係る携帯電話機１００は、携帯電話機上部１０１と、この携帯電話機上部１０１に着脱可能に装着されている携帯電話機下部１０２と、を具備している。
【００１８】
携帯電話機上部１０１は、通信通話装置１０３を具備している。通信通話装置１０３は、第１の無線送受信ユニット１０４、補助充電池１０５、着脱判定部１０６、制御部１０７、操作入力部１０８、マイクロフォン１０９、スピーカー１１０及び表示装置１１１を有している。第１の無線送受信ユニット１０４は、無線信号を送受信するものである。第１の無線送受信ユニット１０４は、電波受信部１０４１、電波送信部１０４２、情報処理部１０４３及び無線電力制御部１０４４を有している。
【００１９】
電波受信部１０４１は、無線信号を受信して受信信号を生成して情報処理部１０４３に与える。情報処理部１０４３は、電波受信部１０４１からの受信信号に所定の処理をして処理後の受信信号を制御部１０７に与える。制御部１０７は、操作入力部１０８からの操作信号に基づいて情報処理部１０４３からの受信信号をスピーカー１１０又は表示装置１１１に与える。スピーカー１１０は、制御部１０７からの受信信号に応答して音声を出力する。表示装置１１１は、制御部１０７からの受信信号を表示する。また、表示装置１１１は、操作入力部１０８からの操作信号を制御部１０７を介して受けて操作に必要な情報を表示する。
【００２０】
マイクロフォン１０９は、音声を受けて音声信号を生成して制御部１０７に与える。制御部１０７は、マイクロフォン１０９からの音声信号を受けて送信信号として情報処理部１０４３に与える。情報処理部１０４３は、制御部１０７からの送信信号に所定の処理をして処理後の送信信号を電波送信部１０４２に与える。電波送信部１０４２は、情報処理部１０４３からの送信信号を受けて無線送信信号を生成して送信する。無線電力制御部１０４４は、電波受信部１０４１及び電波送信部１０４２の電力を制御する。
【００２１】
補助充電池１０５は、通信通話装置１０３に直流電力を供給するためのものである。着脱判定部１０６は、携帯電話機下部１０２との着脱を判定する。また、着脱判定部１０６は、携帯電話機下部１０２が携帯電話機上部１０１から脱却されたことを判定した時に補助充電指示信号を生成して補助充電池１０５に与えて直流電力を通信通話装置１０３に供給させる。
【００２２】
携帯電話機下部１０２は、主充電池１１２、第２の無線送受信ユニット１１３及び電力供給部１１４を有している。第２の無線送受信ユニット１１３は、無線信号を送受信するものである。第２の無線送受信ユニット１１３は、電波受信部１１３１、電波送信部１１３２及び信号増幅部１１３３を有している。
【００２３】
図２に示すように、充電ステーション装置２００は、装着凹部２０１１を有する装着台２０１と、装着凹部２０１１の底部に配置されている電力変換部２０１２と、を有している。充電ステーション装置２００の電力変換部２０１２は、所定の長さのコードにより商用電源等の外部電源２０３に接続されている。図２に示すように携帯電話機下部１０２が装着台の装着凹部２０１１に装着された時に、電力供給部１１４が電力変換部２０１２に接続される。この場合に、電力変換部２０１２は、外部電源２０３からの交流電力を受けて直流電力に変換してこの直流電力を電力供給部１１４に与える。電力供給部１１４は、電力変換部２０１２からの直流電力を所定の大きさの直流電力として主充電池及び第２の無線送受信ユニットに直流電力を供給する。
【００２４】
図２に示すように携帯電話機下部１０２が充電ステーション装置２００に装着された時に、第２の無線送受信ユニット１１３は、第１の無線送受信ユニット１０４と基地局との通信信号を中継するものである。すなわち、第２の無線送受信ユニット１１３は、電力供給部１１４からの直流電力を受けた時に第１の無線送受信ユニット１０４からの送信信号を増幅して無線送信信号を基地局に送信する。また、第２の無線送受信ユニット１１３は、電力供給部１１４からの直流電力を受けた時に基地局からの無線信号を受けて受信信号を生成し増幅して無線受信信号を生成し第１の無線送受信ユニット１０４に送信する。
【００２５】
図２に示すように携帯電話機下部１０２が充電ステーション装置２００に装着された時に、第１の無線送受信ユニット１０４の電波受信部１０４１は、基地局からの無線信号を第２の無線送受信ユニット１１３を介して受信する。また、第１の無線送受信ユニット１０４の電波送信部が送信する無線送信信号は、第２の無線送受信ユニット１１３を介して基地局に送信される。
【００２６】
このように、本発明の実施の形態１においては、図２に示すように携帯電話機下部１０２が充電ステーション装置２００に装着された時に、第２の無線送受信ユニット１１３が、第１の無線送受信ユニット１０４からの送信信号を増幅して無線送信信号を基地局に送信し、また、基地局からの無線信号を受けて受信信号を生成し増幅して無線受信信号を生成し第１の無線送受信ユニット１０４に送信するため、補助充電池１０５が通信通話装置１０３に供給する直流電力は小さくてよいから、充電中も長い時間において携帯電話機１００を使用することができ、携帯電話機の小型化に適し、かつ、電波不感地域を小さくすることができる。
【００２７】
（実施の形態２）
次に、本発明の実施の形態２について、図面を参照して詳細に説明する。
【００２８】
図３は、本発明の実施の形態２に係る携帯電話機３００の一の状態を示す図である。図３は、携帯電話機下部３０１が携帯電話機上部１０１から脱却されて外部電源２０３に接続されている状態を示している。本発明の実施の形態２においては、本発明の実施の形態１と同じ構成要素には同じ参照符号を付して、その説明を省略する。
【００２９】
携帯電話機下部３０１は、携帯電話機上部１０１に着脱可能に装着される。携帯電話機下部３０１は、主充電池１１２、第２の無線送受信ユニット１１３、電力供給部１１４及び電力変換部２０１２を有している。
【００３０】
本発明の実施の形態２は、携帯電話機下部３０１が電力変換部２０１２を有し充電ステーション装置が無い点を除けば、本発明の実施の形態１と同じである。本発明の実施の形態２は、本発明の実施の形態１と同じ作用効果を有している。
【００３１】
（実施の形態３）
次に、本発明の実施の形態３について、図面を参照して詳細に説明する。
【００３２】
図４は、本発明の実施の形態３に係る携帯電話システム４００の一の状態を示す図である。図４は、携帯電話機上部４０１と携帯電話機下部４０２を具備する携帯電話システム４００において携帯電話機下部４０２の主充電池２０３が携帯電話機下部４０２から脱却されて充電ステーション装置４０３に装着されている状態を示している。本発明の実施の形態３においては、本発明の実施の形態１と同じ構成要素には同じ参照符号を付して、その説明を省略する。
【００３３】
携帯電話機上部４０１は、通信通話装置４０４を具備している。通信通話装置４０４は、第１の無線送受信ユニット１０４、補助充電池１０５、主充電池着脱判定部４０５、制御部１０７、操作入力部１０８、マイクロフォン１０９、スピーカー１１０及び表示装置１１１を有している。第１の無線送受信ユニット１０４は、無線信号を送受信するものである。第１の無線送受信ユニット１０４は、電波受信部１０４１、電波送信部１０４２、情報処理部１０４３及び無線電力制御部１０４４を有している。すなわち、携帯電話機上部４０１は、携帯電話機上部１０１の着脱判定部１０６の代わりに主充電池着脱判定部４０５を有するものである。
【００３４】
携帯電話機下部４０２は、主充電池１１２を具備している。主充電池１１２は、携帯電話機下部４０２に着脱可能に装着される。主充電池着脱判定部４０５は、携帯電話機下部４０２に対する主充電池１１２の着脱を判定するものである。主充電池着脱判定部４０５は、主充電池１１２が携帯電話機下部４０２から脱却されたことを判定した時に補助充電指示信号を生成して補助充電池１０５に与えて直流電力を通信通話装置４０４に供給させる。この構成以外の携帯電話機上部４０１の構成は、携帯電話機上部１０１の構成と同じである。
【００３５】
充電ステーション装置４０３は、装着凹部４０３１を有する装着台４０３２、第２の無線送受信ユニット１１３、電力供給部１１４及び電力変換部２０１２を有している。装着台４０３２の装着凹部４０３１に、主充電池１１２が載置されて装着される。第２の無線送受信ユニット１１３は、電波受信部１１３１、電波送信部１１３２及び信号増幅部１１３３を有している。電力変換部２０１２は、外部電源２０３からの交流電力を受けて前記交流電力を直流電力に変換する。電力供給部１１４は、電力変換部２０１２からの直流電力を受けて充電ステーション装置４０３に装着された主充電池１１２及び第２の無線送受信ユニット１１３に直流電力を供給する。第２の無線送受信ユニット１１３は、前述のように、第１の無線送受信ユニット１０４と基地局との間の通信信号を中継する。
【００３６】
本発明の実施の形態３は、本発明の実施の形態１と同じ効果を有している。
【産業上の利用可能性】
【００３７】
本発明は、携帯電話機及び携帯電話システムに有用である。
【図面の簡単な説明】
【００３８】
【図１】本発明の実施の形態１に係る携帯電話機の一の状態を示す図
【図２】本発明の実施の形態１に係る携帯電話機の他の状態を示す図
【図３】本発明の実施の形態２に係る携帯電話機の一の状態を示す図
【図４】本発明の実施の形態３に係る携帯電話機の一の状態を示す図
【符号の説明】
【００３９】
１００、３００、４００  携帯電話機
１０１、４０１  携帯電話機上部
１０２、３０１、４０２  携帯電話機下部
１０３、４０４  通信通話装置
１０４  第１の無線送受信ユニット
１０５  補助充電池
１０６  着脱判定部
１０４１  電波受信部
１０４２  電波送信部
１０４３  情報処理部
１０４４  無線電力制御部
１１２  主充電池
１１３  第２の無線送受信ユニット
１１４  電力供給部
１１３１  電波受信部
１１３２  電波送信部
１１３３  信号増幅部
２００、４０３  充電ステーション装置
２０１２  電力変換部
２０３  外部電源
４０５  主充電池着脱判定部
【図１】
2005218040.tif 000003
【図２】
2005218040.tif 000004
【図３】
2005218040.tif 000005
【図４】
2005218040.tif 000006